(57)【要約】【課題】従来の組立式家具の構造強度が低く、収納空間の密封性に劣る問題を解決することができる組立式キャビネットを提供する。【解決手段】本考案の組立式キャビネットは、２つの直立フレーム３、上板１、底板１３、２つの側板２、背板１１、折り畳み式固定フレーム１０及び少なくとも１つの引き出し６を含む。直立フレーム３は、２つの直立柱５と、直立柱５に垂直な若干の横梁４と、を含む。折り畳み式固定フレーム１０は、２つの直立フレーム３にそれぞれ接続される。上板１及び底板１３は、２つの直立フレーム３の上部横梁４上にそれぞれ固定される。２つの側板２及び背板１１は、上板１１と底板１３との間にそれぞれ固定される。各引き出し６は、スライドレールによって側板２上に固定される。【選択図】図１
0003194890.tif 000002
【実用新案登録請求の範囲】
【請求項１】
２つの直立フレーム、上板、底板、２つの側板、背板、折り畳み式固定フレーム及び少なくとも１つの引き出しを含む組立式キャビネットであって、
前記直立フレームは、２つ直立柱と、前記直立柱に垂直な若干の横梁と、を含む上、前記２つの直立フレームは、互いに平行に設置され、
前記折り畳み式固定フレームは、前記２つの直立フレームの一方の側面に位置する上、前記２つの直立フレームにそれぞれ接続され、
前記上板は、前記２つの直立フレームの上部横梁上に固定され、前記底板は、前記２つの直立フレーム上の高さが同一の２つの横梁間に固定され、前記２つの側板及び前記背板は、前記上板と前記底板との間にそれぞれ固定され、前記背板は、前記折り畳み式固定フレームの内側に位置し、前記２つの側板は、前記２つの直立フレームの内側にそれぞれ位置し、前記２つの側板の内側には、複数の単辺内スライドレールがそれぞれ設置され、前記２つの側板上の単辺内スライドレールの数は、同一である上、位置がそれぞれ対向し、
前記各引き出しは、底面及び４つの側壁を有し、前記引き出しの２つの対向する側面上には、前記側板上の前記単辺内スライドレールに組み合わされる単辺外スライドレールがそれぞれ設置される上、前記単辺外スライドレールにより、前記２つの側板上の対応する位置の前記２つの単辺内スライドレール上に固定されることを特徴とする組立式キャビネット。
【請求項２】
前記折り畳み式固定フレームは、４つの１字型支持ロッドを含み、前記４つの１字型支持ロッドの一方の端部は、固定部材を介して回動可能に一体に固定され、他方の端部には、貫通孔が設けられることを特徴とする請求項１に記載の組立式キャビネット。
【請求項３】
前記４つの１字型支持フレームの一方の端部は、リベット又はボルトによって一体に固定されることを特徴とする請求項２に記載の組立式キャビネット。
【請求項４】
前記直立フレーム上の前記折り畳み式固定フレームに接触する側面上には、２つのねじ孔がそれぞれ設けられ、前記折り畳み式固定フレームは、ねじが前記１字型支持フレームの他方の端部の貫通孔に貫通されることにより、前記直立フレーム上のネジ孔に固定されることを特徴とする請求項３に記載の組立式キャビネット。
【請求項５】
前記上板及び前記底板の前記２つの直立フレームに接触する側辺上には、少なくとも１つの鉄板フックがそれぞれ設置され、前記鉄板フックは、ネジによって前記上板又は前記底板に固定され、前記鉄板フックは、Ｕ型溝である上、前記Ｕ型溝は、前記直立フレームの横梁上に係合することができ、前記上板及び前記底板は、側辺上の前記鉄板フックによって前記直立フレームの横梁上に係合されることを特徴とする請求項１に記載の組立式キャビネット。
【請求項６】
前記上板の前記２つの直立フレームに接触する側辺の底面側縁と、前記底板の前記２つの直立フレームに接触する側辺の上面辺縁と、には、若干の凹孔がそれぞれ設けられ、
前記２つの側板の上面及び底面には、若干の凹孔がそれぞれ設けられる上、前記各側板上の凹孔の位置と、前記側板に接触する上板又は底板上の凹孔の位置とは、互いに対向することを特徴とする請求項５に記載の組立式キャビネット。
【請求項７】
前記２つの側板と前記上板及び前記底板とは、若干のピンによって互いに接続される上、前記各ピンの一方の端部は、前記側板の凹孔内に挿入され、他方の端部は、前記上板又は前記底板の前記凹孔内に挿入されることを特徴とする請求項６に記載の組立式キャビネット。
【請求項８】
前記上板、前記底板及び前記２つの側辺の前記背板との接触面上には、前記背板を収納することができる凹溝がそれぞれ設けられ、前記背板を前記上板、前記底板及び前記２つの側板に固定する際、前記背板を前記上板、前記底板及び前記２つの側辺上に設けられた前記凹溝内に挿入することを特徴とする請求項１に記載の組立式キャビネット。
【請求項９】
前記単辺外スライドレールは、ネジによって前記側板に固定され、前記単辺内スライドレールは、ネジによって前記引き出しに固定されることを特徴とする請求項１に記載の組立式キャビネット。
【請求項１０】
前記組立式キャビネットは、前記直立フレーム上の直立柱底端に設置される複数のアジャスタを更に含み、前記アジャスタは、アジャスタ本体、調節ボルト及び固定ボルトを含み、
前記アジャスタ本体は、柱体であり、前記アジャスタ本体の底部には、調節孔が設けられ、前記アジャスタ本体の側壁上には、固定孔が設けられ、前記調節孔及び前記固定孔内には、内ネジ山がそれぞれ設置され、
前記固定ボルトは、前記固定孔内に位置し、かつ外周上には、前記固定孔の内ネジ山に組み合わされる外ネジ山が設置され、
前記調節ボルトは、前記調節孔内に位置し、かつ外周上には、前記調節孔の内ネジ山に組み合わされる外ネジ山が設置され、前記調節ボルトを前記調節孔内に出し入れすることにより、前記アジャスタの高さを調節することができることを特徴とする請求項１に記載の組立式キャビネット。
【考案の詳細な説明】
【技術分野】
【０００１】
本出願は、家具の技術領域に関し、特に、一種の組立式キャビネットに関する。
【背景技術】
【０００２】
現在、迅速に組み立てることができる家具は多く、例えば、分解可能なシューズボックス、分解可能なロッカー、分解可能なキャビネットなどの組立式家具は、一般に、直立柱及び横梁から構成される。運送時は、直立柱と横梁とを分解することができるため、体積を小さくすることができ、運送に便利である。また、使用時は、直立柱と横梁とを接続して組み立てればよい。また、美観性のために、直立柱と横梁との間に紡績品又は木材の側壁を設置することができる。
【０００３】
上述の迅速に組み立てることができる家具は、一般に、比較的簡単であり、ロッカーなどとして物品を載置するために利用することができるのみであり、木材又は鉄からなる家具と比較して構造強度に劣り、使用時、物品の重量が大きいと、直立柱又は横梁が変形し、使用状態が影響を受ける。また、収納部分の密封性に劣り、収納空間内に埃が進入するため、食品、食器などを保存することができない。
【考案の概要】
【考案が解決しようとする課題】
【０００４】
本出願の実施例は、組立式キャビネットを提供するものであり、鋼木構造が採用され、迅速に組み立てることができる上、引き出しが設置されることにより、従来の組立式家具の構造強度が低く、収納空間の密封性に劣る問題を解決することができる。
【課題を解決するための手段】
【０００５】
上述の目的を解決するために、本出願の実施例が提供する技術を以下に示す。本考案の組立式キャビネットは、２つの直立フレーム、上板、底板、２つの側板、背板、折り畳み式固定フレーム及び少なくとも１つの引き出しを含む。
【０００６】
直立フレームは、２つの直立柱と、直立柱に垂直な若干の横梁と、を含む上、２つの直立フレームは、互いに平行に配置される。
【０００７】
折り畳み式固定フレームは、２つの直立フレームの一方の側面に位置する上、２つの直立フレームにそれぞれ接続される。
【０００８】
上板は、２つの直立フレームの上部横梁上に固定される。底板は、２つの直立フレーム上の高さが同一の２つの横梁間に固定される。２つの側板及び背板は、上板と底板との間にそれぞれ固定される。背板は、折り畳み式固定フレームの内側に位置する。２つの側板は、２つの直立フレームの内側にそれぞれ位置する上、２つの側板の内側には、複数の単一内側用(以下、単辺内)スライドレールがそれぞれ設置される。２つの側板上の単辺内スライドレールの数は、それぞれ同一であると共に、各位置が対向する。
【０００９】
各引き出しは、底面及び４つの側壁を有する。引き出しの２つの対向する側面上には、側板上の単辺内スライドレールに組み合わされる単一外側用(以下、単辺外)スライドレールがそれぞれ設置される一方、単辺外スライドレールにより、各引き出しは、２つの側板上の対応する位置の２つの単辺内スライドレール上に固定される。
【００１０】
好ましくは、折り畳み式固定フレームは、４つの１字型支持ロッドを含む上、４つの１字型支持ロッドの一方の端部は、固定部材を介して回動可能に一体に固定され、他方の端部には、貫通孔がそれぞれ設けられる。
【００１１】
好ましくは、４つの１字型支持フレームの一方の端部は、リベット又はボルトによって一体に固定される。
【００１２】
好ましくは、直立フレーム上の折り畳み式固定フレームに接触する側面上には、２つのねじ孔がそれぞれ設けられる。折り畳み式固定フレームは、ねじが１字型支持フレームの他方の端部の貫通孔に貫通されることにより、直立フレーム上のネジ孔に固定される。
【００１３】
好ましくは、上板及び底板の２つの直立フレームに接触する側辺上には、少なくとも１つの鉄板フックがそれぞれ設置される。鉄板フックは、ネジによって上板又は底板に固定される。鉄板フックは、Ｕ型溝であり、Ｕ型溝は、直立フレームの横梁上に係合することができる。上板及び底板は、側辺上の鉄板フックによって直立フレームの横梁上に係合することができる。
【００１４】
好ましくは、上板の２つの直立フレームに接触する側辺の底面側縁と、底板の２つの直立フレームに接触する側辺の上面辺縁と、には、若干の凹孔がそれぞれ設けられる。
【００１５】
また、２つの側板の上面及び底面には、若干の凹孔がそれぞれ設けられる上、各側板上の凹孔と、２つの側板に接触する上板又は底板上の凹孔の位置は、互いに対向する。
【００１６】
好ましくは、２つの側板と上板及び底板とは、若干のピンによって接続される上、各ピンの一方の端部は、側板上の凹孔内に挿入され、他方の端部は、上板又は底板の凹孔内に挿入される。
【００１７】
好ましくは、上板、底板及び２つの側辺の背板との接触面上には、背板を収納することができる凹溝がそれぞれ設けられる上、背板を上板、底板及び２つの側板に固定する際、背板を上板、底板及び２つの側辺上に設けられた凹溝内に挿入する。
【００１８】
好ましくは、単辺外スライドレールは、ネジによって側板に固定される。単辺内スライドレールは、ネジによって引き出しに固定される。
【００１９】
好ましくは、組立式キャビネットは、直立フレーム上の直立柱底端に設置される複数のアジャスタを更に含む。アジャスタは、アジャスタ本体、調節ボルト及び固定ボルトを含む。
【００２０】
アジャスタ本体は、柱体であり、アジャスタ本体の底部には、調節孔が設けられる。アジャスタ本体の側壁上には、固定孔が設けられる。調節孔及び固定孔内には、内ネジ山がそれぞれ設置される。
【００２１】
固定ボルトは、固定孔内に位置する上、外周上には、固定孔の内ネジ山に組み合わされる外ネジ山が設置される。
【００２２】
調節ボルトは、調節孔内に位置する上、外周上には、調節孔の内ネジ山に組み合わされる外ネジ山が設置される。調節ボルトを調節孔内に出し入れすることにより、アジャスタの高さを調節することができる。
【考案の効果】
【００２３】
本出願の実施例が提供する組立式キャビネットは、２つの直立フレーム、上板、底板、２つの側板、背板、折り畳み式固定フレーム及び少なくとも１つの引き出しを含む。２つの直立フレームは、折り畳み式固定フレームによって一体に固定される。２つの側板及び背板は、上板と底板との間に固定される。引き出しは、スライドレールによって２つの側板間に固定される上、スライドレールに沿って出し入れすることができる。従来技術と比較し、本考案の組立式キャビネットは、木製キャビネット又は引き出しキャビネットを組み立てる過程において、ドライバーのみを使用すればよく、他の工具が必要ないため、組立作業を迅速で簡単に行うことができ、時間及び労力を節約し、迅速に組み立てることができる効果を達成することができる。また、組立後の組立式キャビネットは、構造強度が高く、変形しにくい。また、引き出しの出し入れを便利に行うことができる上、引き出し内に完全な収納空間を形成することができ、埃が進入するのを減少させ、収納物を清潔に保つことができる。
【図面の簡単な説明】
【００２４】
【図１】本出願の実施例が提供する組立式キャビネットの構造を示す分解斜視図である。
【図２】本出願の実施例が提供する折り畳み式固定フレームの構造を示す平面図である。
【図３】本出願の実施例が提供する折り畳み式固定フレームを直立フレームに固定した際の構造を示す分解斜視図である。
【図４】本出願の実施例が提供するアジャスタの構造を示す分解斜視図である。
【考案を実施するための形態】
【００２５】
当業者が本出願中の技術をより理解できるように、本出願の実施例中の図面を組み合わせ、本出願の実施例中の技術を明確且つ完全に描写する。描写する実施例は、本出願の実施例の一部であり、実施例の全部ではなく、当業者が創造的な労働を行わないという前提の下で取得される他の実施例は、本出願の保護範囲に含まれる。
【００２６】
図１は、本出願の実施例が提供する組立式キャビネットの構造を示す分解斜視図である。
【００２７】
図１に示すように、本考案の組立式キャビネットは、２つの直立フレーム３、上板１、底板１３、２つの側板２、背板１１、折り畳み式固定フレーム１０及び少なくとも１つの引き出し６を含む。２つの直立フレーム３は、折り畳み式固定フレーム１０によって一体に固定される。２つの側板２及び背板１１は、上板１と底板１３との間に固定される。本出願の実施例中、図１に示すように、引き出し６は、２つである上、スライドレールによって２つの側板２間に固定される。また、引き出し６は、スライドレールに沿って出し入れすることができる。
【００２８】
図１に示すように、各直立フレーム３は、２つの直立柱５及び若干の横梁４を含む。２つの直立フレーム３は、平行に配置され、２つの直立フレーム３上の横梁の位置は、対向し、高さが一致する。折り畳み式固定フレーム１０は、２つの直立フレームの一方の側面に固定され、それぞれ２つの直立フレーム３を直立状態にする。
【００２９】
図２は、本出願の実施例が提供する折り畳み式固定フレームの構造を示す平面図である。図２に示すように、折り畳み式固定フレーム１０は、請求項１に記載の組立式キャビネットを含み、その特徴として、折り畳み式固定フレームは、４つの１字型支持ロッド１０１を含む。４つの１字型支持ロッド１０１の一方の端部は、固定部材１０２によって回動可能に一体に固定される。固定部材１０２は、リベット又はボルトである。４つの１字型支持ロッド１０１の他方の端部には、貫通孔１０２がそれぞれ設けられる。また、２つの直立フレーム３上と折り畳み式固定フレーム１０とが接触する側面上には、２つのネジ穴１０３がそれぞれ設けられる。図３に示すように、折り畳み式固定フレーム１０は、ネジが各１字型支持フレーム１０１の他方の端部の貫通孔を貫通することによって直立フレーム３上のネジ穴１０２に固定される。組立式キャビネットの強度を高めるために、２つの直立フレーム３及び折り畳み式フレーム１０の材料は、鋼材などの金属材料である。
【００３０】
図１に示すように、上板１は、２つの直立フレーム３の上部横梁４上に固定される。底板１３は、２つの直立フレーム３上の高さが同一の２つの横梁４間に固定される。また、上板１及び底板１３の２つの直立フレーム３に接触する側辺上には、少なくとも１つの鉄板フック１２が設置される。鉄板フック１２は、ネジによって上板１又は底板１３に固定される。鉄板フック１２は、Ｕ型溝である上、Ｕ型溝は、直立フレーム３の横梁４上に係合することができる。これにより、上板１及び底板１３は、側辺上の鉄板フック１２によって直立フレーム３の横梁４上に係合することができる。
【００３１】
２つの側板２及び背板１１は、上板１と底板１３との間にそれぞれ固定される。また、背板１１は、折り畳み式固定フレーム１０の内側に位置する。２つの側板２は、２つの直立フレーム３の内側にそれぞれ位置する。上板１の２つの直立フレーム３に接触する側辺の底面側縁には、若干の凹孔が設けられる。底板１３の２つの直立フレーム３に接触する側辺の上面辺縁にも若干の凹孔が設けられる。上板１及び底板１３上に設けられる凹孔は、上下に対向する。また、２つの側板２の上面及び底面にも若干の凹孔がそれぞれ設けられる。各側板２上の凹孔と、側板２に接触する上板１又は底板１３上の凹孔とは、位置が互いに対向する。これにより、２つの側板２及び背板１０と上板１及び底板１３とを固定する際、図１に示すように、ピン９によって接続することができる上、ピン９の一方の端部を側板２上の凹孔内に挿入し、他方の端部を上板１又は底板１３上の凹孔内に挿入することができる。
【００３２】
図１に示すように、上板１、底板１３及び２つの側辺２上の背板１１が接触する位置には、凹溝１５がそれぞれ設置される（図中、上板上の凹溝は図示しない）。凹溝１５の幅は、背板１１の厚さと同一である。これにより、背板１１を上板１、底板１３及び２つの側板２に固定する際、背板１１を上板１、底板１３及び２つの側板２上に設けられる凹溝１５内に挿入することにより、背板１１を上板１と底板１３と２つの側板２との間に強固に固定することができる。
【００３３】
２つの側板２の内側には、複数の単辺内スライドレール１４がそれぞれ設置される。２つの側板２上の単辺内スライドレール１４の数は、同一であり、位置がそれぞれ対向し、高さが同一である。対向する２つの単辺内スライドレール１４の作用は、１つの引き出し６を固定することである。
【００３４】
図１に示すように、各引き出し６は、底面及び４つの側壁を有する。引き出し６の２つの対向する側面上には、単辺外スライドレール７がそれぞれ設置される。単辺外スライドレール７と側板２上の単辺内スライドレール１４とは、組み合わされる。引き出し６は、単辺外スライドレール７によって２つの側板２上の対応する位置の２つの単辺内スライドレール１４上に固定される。また、単辺内スライドレール１４は、ネジによって側板２に固定され、単辺外スライドレール７もネジによって引き出し６に固定される。引き出し、上板、底板、側板及び背板の材料は、金属材料、木材又はプラスチックでもよく、組立式キャビネットの重量を軽減し、組立式キャビネットの美観性を高めるために、本出願の実施例中、引き出し、上板、底板、側板及び背板の材料は、木材を採用する。
【００３５】
組立式キャビネットを組み立てる際、先ず、ボルトを利用して折り畳み式固定フレーム１０を直立フレーム３上の対応するネジ山孔１０２上に固定する。この際、直立フレームが倒れなければよく、折り畳み式固定フレーム１０を直立フレーム３に固定する必要はない。次に、鉄板フック１２を有する上板１及び底板１３を直立フレーム３の横梁４上にそれぞれ係合する一方、長さが凹孔の深さより長いピン９を底板１３上の凹孔内に螺入し、２つの側板２上の凹孔をピン９上に嵌め込む。また、背板１１を底板１３及び２つの側板上の凹溝１５内に挿入する。次に、ピンによって上板１を２つの側板２上部に固定し、上板１の鉄板フックを２つの直立フレーム３の上部横梁４上に係合する。これにより、上板１、２つの側板２、背板１１及び底板１３を一体にすることができる。次に、単辺内スライドレールを有する引き出し６を２つの側板２内側の単辺外スライドレールに組み合わせて引き出しキャビネットにする。最後に、折り畳み式固定フレーム１０上のネジを締めて組立式キャビネット全体を安定させる。
【００３６】
従来技術と比較し、本考案の組立式キャビネットは、木製キャビネット又は引き出しキャビネットを組み立てる過程において、ドライバーのみを使用すればよく、他の工具が必要ないため、組立作業を迅速で簡単に行うことができ、時間及び労力を節約し、迅速に組み立てることができる効果を達成することができる。また、組立後の組立式キャビネットは、構造強度が高く、変形しにくい。また、引き出しの出し入れを便利に行うことができると共に、引き出し内に完全な収納空間を形成することができ、埃が進入するのを減少させ、収納物を清潔に保つことができる。
【００３７】
その他、加工時において、組立式キャビネットの各部材の寸法は、規定の寸法に基づいて加工が行われるが、加工された部材に偏差が発生する場合がある。例えば、直立フレーム３上の直立柱５の高さが異なる場合、組み立てた後、組立式キャビネットを安定して設置することができない。また、直立フレーム３の直立柱５の高さが同じでも、組み立てた後の組立式キャビネットを設置する地面が平坦でない場合、組立式キャビネットを安定して設置することができない。上述の問題を解決するために、本出願の他の実施例中、図１に示すように、本考案の組立式キャビネットは、４つのアジャスタ８を更に含むことができる。４つのアジャスタ８は、直立フレーム３上の直立柱５底端に設置される。
【００３８】
図４は、本出願の実施例が提供するアジャスタの構造を示す分解斜視図である。図４に示すように、アジャスタ８は、アジャスタ本体１６、固定ボルト１７及び調節ボルト１８を含む。アジャスタ本体１６は、柱体であり、アジャスタ本体１６の底部には、調節孔が設けられる。アジャスタ本体１６の側壁上には、固定孔が設けられる。調節孔及び固定孔内には、内ネジ山がそれぞれ設置される。固定ボルト１７は、固定孔内に位置する一方、外周上には、固定孔の内ネジ山に組み合わされる外ネジ山が設置される。調節ボルト１８は、調節孔内に位置する一方、外周上には、調節孔の内ネジ山に組み合わされる外ネジ山が設置される。調節ボルト１８を調節孔内に出し入れすることにより、アジャスタの高さを調節することができるため、直立柱５の高さを調節することができる。これにより、加工誤差がある場合でも、組立式キャビネットを平坦でない地面に設置する場合でも、アジャスタ８を調節することによって組立式キャビネットを安定して設置することができる。
【００３９】
以上は、本出願の優先される実施方式を示すものであり、当業者が本申請を理解又は実現できるようにするものである。これらの実施例の変更は、当業者にとって容易に行うことができるものであり、本明細書中において定義される一般原理は、本出願の精神又は範囲を逸脱しない状況のもと、他の実施例中において実現することができる。このため、本出願は、本明細書に示す実施例のみに限定されず、本明細書が公開する原理と新規性とが一致する最も広い範囲に符合する。
【図１】
0003194890.tif 000003
【図２】
0003194890.tif 000004
【図３】
0003194890.tif 000005
【図４】
0003194890.tif 000006